(57)【特許請求の範囲】
【請求項１】
ケーシング（２）内に、圧縮要素（３）と、この圧縮要素（３）を駆動するモータ（５）を設け、上記ケーシング（２）内の上記圧縮要素（３）からの吐出ガスで満たされる高圧部（６）に上記モータ（５）を配置した高圧ドーム型圧縮機において、
上記モータ（５）は１．９ｋＷ以上の定格出力を有し、
上記モータ（５）の回転子（５ａ）は、固有保磁力が１．７ＭＡ・ｍ-1以上の希土類・鉄・ホウ素系永久磁石（２５）を備え、
上記モータ（５）の温度を検知する温度センサ（１５）と、
上記温度センサ（１５）からの信号を受け取って、上記モータ（５）の温度が所定の温度以下になるように上記モータ（５）に供給する電流を制御する第１制御手段とを備えることを特徴とする高圧ドーム型圧縮機。
【請求項２】
請求項１による高圧ドーム型圧縮機において、
上記モータ（５）に流れる電流を検知する電流検知手段と、
上記電流検知手段からの信号を受け取って、上記モータ（５）に生じる逆磁界を所定の強さ以下になるように上記モータ（５）に供給する電流を制御する第２制御手段とを備えることを特徴とする高圧ドーム型圧縮機。
【請求項３】
請求項１または２による高圧ドーム型圧縮機において、
上記ケーシング（２）から上記吐出ガスを吐出する吐出管（８）は、上記モータ（５）に関して上記圧縮要素（３）と反対側に配置されていることを特徴とする高圧ドーム型圧縮機。
【請求項４】
請求項１乃至３のいずれか1つによる高圧ドーム型圧縮機において、
上記吐出管（８）は、上記圧縮要素（３）と上記モータ（５）との間の高圧部（６）に連通する一方、上記圧縮要素（３）からの吐出ガスは、クランク軸（４）内の通路（２１）を通して上記モータ（５）に関して圧縮要素（３）と反対側の高圧部（６）に排出されることを特徴とする高圧ドーム型圧縮機。
【請求項５】
請求項１乃至４のいずれか1つによる高圧ドーム型圧縮機において、
上記モータ（５）の回転子（５ａ）の上記永久磁石（２５）は、アルミコーティングが施されていることを特徴とする高圧ドーム型圧縮機。
【請求項６】
請求項１乃至５のいずれか1つによる高圧ドーム型圧縮機を備え、冷媒としてＲ３２を用いたことを特徴とする冷凍装置。
【発明の詳細な説明】
【０００１】
【発明の属する技術分野】
この発明は、希土類磁石を用いたモータを備える高圧ドーム型圧縮機に関する。
【０００２】
【従来の技術】
従来、冷凍装置の圧縮機としては、ケーシング内に圧縮要素と、この圧縮要素を駆動するモータとを備えた高圧ドーム型圧縮機がある。この高圧ドーム型圧縮機のモータは、上記ケーシング内において上記圧縮要素からの吐出ガスで満たされる高圧部に配置されている。また、上記モータは、インバータの制御で駆動されるDC（直流）モータであり、このモータの回転子が備える永久磁石は、固有保磁力が大きいフェライト磁石からなる。
【０００３】
しかし、上記フェライト磁石は磁力が比較的弱いので、モータの出力を大きくするためには大きい永久磁石が必要になって、そのため、回転子が大型になってモータが大型になる。したがって、圧縮機の出力を大きくするとモータが大型になって、そのため圧縮機が大型になるという問題があった。
【０００４】
そこで、最近、モータの回転子の永久磁石に、磁力が強い希土類磁石を用いて、出力が高くても小型にできる高圧ドーム型圧縮機が提案されている。
【０００５】
【発明が解決しようとする課題】
しかしながら、上記高圧ドーム型圧縮機は、上記モータの回転子に用いる希土類磁石が温度上昇に伴って減磁するので、モータの発熱や冷媒の圧縮熱によって上記希土類磁石が減磁して、モータの性能が低下する。また、ある限界を越えると不可逆減磁を起こして磁力を失い、モータの機能を失う。さらに、上記希土類磁石は逆磁界を受けても減磁するので、上記モータを流れる電流が大きくなると、モータの固定子に生じる逆磁界によって回転子の希土類磁石が減磁して、モータの性能が低下する。したがって、出力の大きな大型の高圧ドーム型圧縮機では、希土類磁石が使用できないという問題があった。より詳しくは、冷媒としてＲ３２を用いて１．９ｋＷ以上の定格出力のモータを有する高圧ドーム型圧縮機には、希土類磁石を用いるモータを使用できなかった。
【０００６】
そこで、この発明の目的は、モータに希土類磁石を用いるにもかかわらず、上記希土類磁石に不可逆減磁を発生させることがなく、そのため、小型で高出力であると共に、安定した性能を有する高圧ドーム型圧縮機を提供することにある。
【０００７】
また、この発明の目的は、圧縮されて高温になるＲ３２を冷媒として用いる冷凍機に使用されても、モータの希土類磁石が不可逆減磁しなくて、そのため小型で高出力、かつ安定した性能の高圧ドーム型圧縮機を提供することにある。
【０００８】
【課題を解決するための手段】
上記目的を達成するため、請求項１の発明の高圧ドーム型圧縮機は、ケーシング内に、圧縮要素と、この圧縮要素を駆動するモータを設け、上記ケーシング内の上記圧縮要素からの吐出ガスで満たされる高圧部に上記モータを配置した高圧ドーム型圧縮機において、
上記モータは１．９ｋＷ以上の定格出力を有し、
上記モータの回転子は、固有保磁力が１．７ＭＡ・ｍ-1以上の希土類・鉄・ホウ素系永久磁石を備え、
上記モータの温度を検知する温度センサと、
上記温度センサからの信号を受け取って、上記モータの温度が所定の温度以下になるように上記モータに供給する電流を制御する第１制御手段とを備えることを特徴としている。
【０００９】
上記高圧ドーム型圧縮機によれば、上記モータの回転子が備える希土類・鉄・ホウ素系の永久磁石は、１．７ＭＡ・ｍ-1以上の固有保磁力を有するので、比較的高温になる高圧ドーム型圧縮機においても上記永久磁石は減磁しにくく不可逆減磁を起こすことがなく、また、１．９ｋＷ以上の定格出力を有して固定子に生じる逆磁界が比較的強いモータにおいても、上記永久磁石は減磁しにくく、不可逆減磁を起こすことがない。したがって、上記希土類・鉄・ホウ素系の永久磁石を用いたモータは、従来におけるフェライト系の永久磁石を用いたモータよりも高出力かつ小型であると共に、安定した性能を有する。そのため、このモータを備える高圧ドーム型圧縮機が高出力かつ小型になって、しかも高圧ドーム型圧縮機の性能が安定する。
【００１０】
また、上記高圧ドーム型圧縮機によれば、上記センサは、上記希土類・鉄・ホウ素系の永久磁石を有するモータの温度を検知して、上記第１制御手段に伝える。この第１／制御手段は、上記モータの温度が所定の温度よりも高い場合、上記モータに送る電流を減らしてモータの回転数を下げる。そうすると、モータの発熱量が少なくなって、モータの温度が下がる。その結果、上記モータが有する上記希土類・鉄・ホウ素系の永久磁石の減磁が回避される。
【００１１】
請求項２による高圧ドーム型圧縮機は、請求項１による高圧ドーム型圧縮機において、
上記モータに流れる電流を検知する電流検知手段と、
上記電流検知手段からの信号を受け取って、上記モータに生じる逆磁界を所定の強さ以下になるように上記モータに供給する電流を制御する第２制御手段とを備えることを特徴としている。
【００１２】
上記高圧ドーム型圧縮機によれば、上記電流検知手段は、上記希土類・鉄・ホウ素系の永久磁石を有するモータに供給する電流の値を検知して、上記第２制御手段に伝える。この第２制御手段は、上記モータに供給する電流の値から、モータに生じる逆磁界の強さを計算する。この逆磁界の強さが所定の値よりも大きい場合、上記第２制御手段は、上記モータに供給する電流を減らしてモータの逆磁界の強さを弱めるので、上記モータが有する上記希土類・鉄・ホウ素系の永久磁石の減磁が回避される。
【００１３】
請求項３による高圧ドーム型圧縮機は、請求項１または２による高圧ドーム型圧縮機において、上記ケーシングから上記吐出ガスを吐出する吐出管は、上記モータに関して上記圧縮要素と反対側に配置されていることを特徴としている。
【００１４】
上記高圧ドーム型圧縮機によれば、上記吐出管が上記モータに関して上記圧縮要素と反対側に配置されているので、上記圧縮要素で圧縮された吐出ガスは、この吐出ガスで満たされる高圧部に配置された上記モータを通過した後に、上記吐出管からケーシングの外部に排出される。したがって、上記モータは上記吐出ガスによって冷却されて、上記モータが有する希土類・鉄・ホウ素系の永久磁石の減磁が回避される。
【００１５】
請求項４による高圧ドーム型圧縮機は、請求項１乃至３のいずれか１つによる高圧ドーム型圧縮機において、上記吐出管は、上記圧縮要素と上記モータとの間の高圧部に連通する一方、上記圧縮要素からの吐出ガスは、クランク軸内の通路を通して上記モータに関して圧縮要素と反対側の高圧部に排出されることを特徴としている。
【００１６】
上記高圧ドーム型圧縮機によれば、上記圧縮要素からの吐出ガスがクランク軸内の通路を通して上記モータに関して圧縮要素と反対側の高圧部に排出された後、上記モータを通過して上記吐出管からケーシングの外部に排出される。したがって、上記モータは上記吐出ガスによって冷却されて、上記モータが有する希土類・鉄・ホウ素系の永久磁石の減磁が回避される。
【００１７】
請求項５による高圧ドーム型圧縮機は、請求項１乃至４のいずれか1つによる高圧ドーム型圧縮機において、上記モータの回転子の上記永久磁石は、アルミコーティングが施されていることを特徴としている。
【００１８】
上記高圧ドーム型圧縮機によれば、上記モータの回転子の上記永久磁石はアルミコーティングが施されているので、比較的高温である上記高圧ドーム型圧縮機の高圧部においても、上記永久磁石は錆びない。また、冷媒ガスが上記永久磁石内に進入しないため、冷媒による劣化もない。また、高圧ドーム型圧縮機が、冷媒としてＲ３２を用いる冷凍装置に使用された場合、上記永久磁石はアルミコーティングが施されているので、Ｒ３２にアタックされない。したがって、上記モータの性能が維持されて、上記高圧ドーム型圧縮機の性能が安定する。
【００１９】
請求項６による冷凍装置は、請求項１乃至５のいずれか1つによる高圧ドーム型圧縮機を備え、冷媒としてＲ３２を用いたことを特徴としている。
【００２０】
上記冷凍機によれば、上記高圧ドーム型圧縮機において圧縮されて高温になるＲ３２を冷媒として用いているにも拘らず、請求項１乃至６のいずれか1つによる高圧ドーム型圧縮機を備えるので、この高圧ドーム型圧縮機が備えるモータの希土類・鉄・ホウ素系の永久磁石は、減磁し難い。したがって、上記モータは小型で高出力になると共に、性能が安定する。その結果、上記モータを備える高圧ドーム型圧縮機は小型で高出力になると共に、性能が安定する。
【００２１】
【発明の実施の形態】
以下、この発明を図示の実施の形態により詳細に説明する。
【００２２】
図１は、本発明による高圧ドーム型圧縮機を示す模式図である。この高圧ドーム型圧縮機１は、ケーシング２内に、圧縮要素３と、この圧縮要素３をクランク軸４を介して駆動するＤＣモータ５を備え、このモータ５は、上記ケーシング２内の上記圧縮要素３によって圧縮された吐出ガスで満たされる高圧部６に配置されている。
【００２３】
また、上記高圧ドーム型圧縮機１は、上記圧縮要素３に連通する吸入管７と、上記高圧部に連通する吐出管８を備える。この高圧ドーム型圧縮機１と、図示しない４路切換弁、室外熱交換器、膨張機構、室内熱交換器を順次接続して冷凍装置を構成し、この冷凍装置に冷媒としてＲ３２を充填している。
【００２４】
さらに、この高圧ドーム型圧縮機１は、上記モータ５に送る電流を制御する第１および第２制御手段としてのインバータ１０を備える。このインバータ１０は、インバータ部１２と制御部１３からなる。上記インバータ部１２は、制御部１３の命令に従って、交流電源１７からの入力電力を直流電力に変換した後、所定の周波数で所定のデュティ比の信号に変えて出力する。上記制御部１３は、上記吐出管８の温度を検知する温度センサ１５の出力を受けて、上記インバータ部１２からの出力電流を制御するようになっている。
【００２５】
図２は、上記高圧ドーム型圧縮機１のケーシング２の内部を詳細に示す断面図である。図１に示した部分と同じ機能を有する部分は同一の参照番号を付している。この高圧ドーム型圧縮機は、ケーシング２内に、圧縮要素としてのスクロール部３と、このスクロール部３をクランク軸４を介して駆動するモータ５を備え、このモータ５は、上記スクロール部３で圧縮された吐出ガスが満たされる高圧部６に配置されている。
【００２６】
上記スクロール部３は、固定スクロール３ａと旋回スクロール３ｂからなり、上記旋回スクロール３ｂは、クランク軸４の中心に偏心して、クランク軸４に接続されている。このクランク軸４の内部には上記スクロール部３で圧縮された吐出ガスを、上記スクロール部３から上記モータ５の下側まで導く通路２１を備えている。
【００２７】
上記モータ５は、上記クランク軸４に固定された円筒形の回転子５ａと、この回転子５ｂの周面に近接して配置された固定子５ｂからなる。上記回転子５ａの中には、図３に示すように、クランク軸を挿入する軸穴２４の周りに、４枚の板状の希土類・鉄・ホウ素系の永久磁石２５，２５，２５，２５が、夫々９０°の角度をなして設置されている。この希土類・鉄・ホウ素系の永久磁石２５は、固有保磁力が１．７ＭＡ・ｍ-1以上である。上記土類・鉄・ホウ素系の永久磁石２５を有するモータは、従来におけるフェライト磁石を有するモータよりも小型かつ出力が大きく、定格出力が１．９ｋＷ以上である。なお、上記土類・鉄・ホウ素系の永久磁石２５は、表面にアルミコーティングが施されている。
【００２８】
図２に示すように、ケーシング２の上側には、上記スクロール部３に連通して蒸発器側から冷媒を導く吸入管７を設け、ケーシング２の左側には、上記高圧部６に連通して吐出ガスを凝縮器側に吐出する吐出管８を設けている。さらに、上記モータ５に、図１のインバータ１０からの駆動電流を供給するための端子２６が、上記ケーシング２の右側に配置されている。
【００２９】
上記構成の高圧ドーム型圧縮機において、図１に示すインバータ１０が上記モータ５に所定の電流を供給して、上記モータ５がクランク軸４を回転する。そうすると、上記クランク軸４に接続した旋回スクロール３ｂが上記クランク軸４に偏心して回転して、スクロール部３が圧縮動作をする。すなわち、上記吸入管７を通って蒸発器側からスクロール部３に導かれたＲ３２からなる冷媒ガスが、スクロール部３で圧縮されて、上記クランク軸４内の通路２１を通って上記モータ５の下側に吐出される。このモータ５の下側に吐出された吐出ガスは、図２に示すように上記モータ５とスクロール部３との間に位置してケーシング２の左側に配置された吐出管８から、凝縮器側に吐出される。このとき、上記吐出ガスは、矢印Ａに示すように、上記モータ５とケーシング２の間や、上記モータ５の回転子ａと固定子５ｂの間を通過する。そのため、上記吐出ガスによってモータ５が冷却される。したがって、上記モータ５の回転子５ａに設けられた上記希土類・鉄・ホウ素系の永久磁石２５，２５，２５，２５は異常高温にならないので、減磁し難い。その結果、上記モータ５の性能が保持されて高圧ドーム型圧縮機１の性能が安定する。
【００３０】
上記高圧ドーム型圧縮機１を長時間に亘って連続運転すると、モータ５が加熱して所定の温度以上になる場合がある。その場合、図１に示す吐出管８に設置した温度センサ１５が吐出ガスの温度の上昇を検知することによってモータ５の温度の上昇を検知して、上記インバータ１０の制御部１３に信号を送る。上記温度センサ１５からの信号を受けた制御部１３は、垂下制御して、インバータ部１２の出力電流を下げて、モータ５の回転数を下げる。その後、モータ５の発熱が少なくなって、上記温度センサ１５が検知する温度が所定の温度にまで下がったら、上記制御部１３はインバータ部１２の出力を通常の値に戻す。このようにして、上記モータ５に供給する電流を制御することによってモータ５の発熱量を少なくして、モータ５が、上記希土類・鉄・ホウ素系の永久磁石２５の温度に対する減磁特性から求めた所定の温度を越えないようにしている。その結果、上記希土類・鉄・ホウ素系の永久磁石２５は殆ど減磁せず、不可逆減磁の温度の領域に入ることもないので、上記モータ５の性能が安定する。したがって、このモータ５を備えた高圧ドーム型圧縮機１の性能が安定する。
【００３１】
また、この高圧ドーム型圧縮機１は、冷媒としてＲ３２を用いる冷凍機に設置されているので、スクロール部３で圧縮されて高圧部６に満たされるＲ３２の吐出ガスは、従来における冷媒としての例えばＣＦＣ（クロロフルオロカーボン）等を用いた場合よりも高温になる。しかし、この高圧ドーム型圧縮機１は上記インバータ部１０によって、上記モータ５の温度が所定の温度より大きくならないようにしているので、このモータ５が備える希土類・鉄・ホウ素系の永久磁石２５は殆ど減磁しない。したがって、上記モータ５の性能が安定して、その結果、高圧ドーム型圧縮機１の性能が安定する。
【００３２】
また、上記冷媒としてのＲ３２の吐出ガスが満たされた高圧部６は高温で、さらに、微量の水分が含まれるが、上記希土類・鉄・ホウ素系の永久磁石２５は表面にアルミコーティングを施しているので、Ｒ３２にアタックされなく、かつ、殆ど錆びない。したがって、上記モータ５の性能が安定する。
【００３３】
さらに、上記インバータ１０の制御部１３は、上記希土類・鉄・ホウ素系の永久磁石２５における逆磁界に対する減磁特性から求めた所定の強さ以上の逆磁界を、モータ５の固定子５ｂに生じさせないようにしている。すなわち、上記制御部１３は、上記インバータ部１２が上記モータ５に供給する電流の値を受けて、この電流が上記モータ５の固定子５ｂに起こす逆磁界の強さを計算する。上記モータ５に供給する電流が所定の量を超えて、上記固定子５ｂの逆磁界が所定の強さを越えると、制御部１３はインバータ部１２の出力電流を制御して、モータの固定子５ｂの逆磁界を所定の強さまで弱める。このように、インバータ１０によって、モータの固定子５ｂの逆磁界が所定の強さを越えないようにして、モータ５の永久磁石の減磁を防止しているので、このモータ５の性能が安定し、不可逆減磁も発生しない。したがって、このモータ５を備えた高圧ドーム型圧縮機１の性能が安定する。
【００３４】
図４は、他の実施形態による高圧ドーム型圧縮機を示した断面図である。図２に示した高圧ドーム型圧縮機の部分と同じ機能を有する部分は、同一の参照番号を付している。この高圧ドーム型圧縮機１は、長軸を水平方向に配置した横長タイプのスクロール圧縮機で、冷媒としてＲ３２を用いる冷凍装置の圧縮機として使用される。この高圧ドーム型圧縮機１は、ケーシング２の中に、スクロール部３と、このスクロール部３を駆動するクランク軸４と、このクランク軸４を回転するモータ５とを収容していて、このモータ５は、上記スクロール部３で圧縮された吐出ガスが満たされる高圧部６に配置されている。
【００３５】
さらに、上記高圧ドーム型圧縮機１は、図示しないが図１と同様のインバータを備える。このインバータはインバータ部と制御部とからなり、上記制御部は吐出管８に備えた図示しない温度センサーに接続すると共にインバータ部の出力電流を制御する。一方、上記インバータ部は図示しない交流電源からの電流を上記制御部の命令に基づいて変更して、上記モータ５に供給するようにしている。
【００３６】
上記モータ５の固定子５ａは、図示しない希土類・鉄・ホウ素系の永久磁石を備え、上記永久磁石の固有保磁力は１．７ＭＡ・ｍ-1以上である。この希土類・鉄・ホウ素系の永久磁石は、吐出ガスで満たされて高温で比較的多湿な高圧部６において錆びないように、また、Ｒ３２にアタックされないように、アルミコーティングが施されている。上記モータ５の定格出力は、１．９ｋＷ以上である。
【００３７】
上記ケーシング２の左側に設けた吸入管７を介して蒸発器側から導かれた冷媒としてのＲ３２は、上記スクロール部３に導かれて圧縮されて、モータ５が配置されている高圧部６に吐出される。この吐出された吐出ガスは、矢印Ｂに示すように、モータ５とケーシング２との間や、モータ５の回転子５ａと固定子５ｂとの間を通過して、ケーシング２内の右側に導かれて、吐出管８を介して凝縮器側に吐出される。このとき、上記モータ５は上記吐出ガスによって冷却されるので、このモータ５が備える土類・鉄・ホウ素系の永久磁石は減磁し難い。
【００３８】
さらに、この高圧ドーム型圧縮機１が備える図示しないインバータは、上記温度センサからの信号を受け取ってモータ５の温度を推定して、モータ５の温度が所定の温度以上にならないように、モータ５に送る電流を制御している。したがって、この高圧ドーム型圧縮機１は吐出ガスが高温になるＲ３２を冷媒として用いているにもかかわらず、上記モータ５が備える土類・鉄・ホウ素系の永久磁石は減磁し難く、そのため、モータ５の性能が安定する。
【００３９】
さらに、上記インバータは、上記インバータ部の内部に設けた図示しない電流センサからの出力を受けて、この出力の値からモータ５の固定子に生じる逆磁界の強さを計算する。そして、この逆磁界の強さが所定の値以上にならないように、上記モータ５に送る電流を制御している。したがって、このモータは定格出力が比較的高くてモータの固定子に生じる逆磁界が比較的強いにも拘らず、このモータ５が備える土類・鉄・ホウ素系の永久磁石は減磁し難く、モータ５の性能が安定する。その結果、このモータ５を備える高圧ドーム型圧縮機１は、小型かつ高出力であると共に、安定した性能の圧縮機になる。
【００４０】
上記実施形態の高圧ドーム型圧縮機１は、吐出管８に設けた温度センサ１５で吐出ガスの温度を検知して、この吐出ガスの温度からモータ５の温度を推定したが、温度センサをケーシング内２に配置して、モータ５の温度を直接検出してもよい。
【００４１】
上記実施形態の高圧ドーム型圧縮機１が備えるモータ５は、定格出力が１．９ｋＷであったが、１．９ｋＷ以上の定格出力のモータでもよい。
【００４２】
上記高圧ドーム型圧縮機１が備えるモータ５の希土類・鉄・ホウ素系の永久磁石は１．７ＭＡ・ｍ-1の固有保磁力を有するが、１．７ＭＡ・ｍ-1以上の上記固有保磁力を有する希土類・鉄・ホウ素系の永久磁石でもよい。
【００４３】
上記実施形態の高圧ドーム型圧縮機１は、圧縮要素としてスクロール部３を備えるスクロール型圧縮機であるが、圧縮要素としてスイング部を備えるスイング型圧縮機等の他のものであってもよい。
【００４４】
上記実施形態の高圧ドーム型圧縮機１は、インバータ１０を用いたが、電圧の垂下制御装置やオーバーカレントリレー等の他の制御手段を用いてもよい。
【００４５】
【発明の効果】
以上より明らかなように、請求項１の発明の高圧ドーム型圧縮機は、圧縮要素を駆動するモータの回転子が備える希土類・鉄・ホウ素系の永久磁石は、１．７ＭＡ・ｍ-1以上の固有保磁力を有するので、ケーシング内の高圧部に配置された上記モータが高温になっても、上記永久磁石は減磁しにくく、また、１．９ｋＷ以上の定格出力を有するモータに生じる逆磁界が比較的強くても、上記永久磁石は減磁しにくい。したがって、上記希土類・鉄・ホウ素系の永久磁石を用いたモータは、高出力かつ小型であると共に、安定した性能を有するので、このモータを備える高圧ドーム型圧縮機は、高出力かつ小型で、さらに、性能が安定する。
【００４６】
また、上記高圧ドーム型圧縮機は、上記モータの温度を検知する温度センサを有し、上記温度センサからの信号を受け取って、上記モータの温度が所定の温度以下になるように上記モータに供給する電流を制御する第１制御手段を備えるので、上記モータが有する上記希土類・鉄・ホウ素系の永久磁石の温度を所定の温度よりも低く維持して、上記永久磁石の高温による減磁を回避できる。
【００４７】
請求項２による高圧ドーム型圧縮機は、上記モータに流れる電流を検知する電流検知手段と、上記電流検知手段からの信号を受け取って、上記モータに生じる逆磁界を所定の強さ以下になるように上記モータに供給する電流を制御する第２制御手段とを備えるので、上記モータの逆磁界を所定の強さ以下に維持できて、上記モータが有する上記希土類・鉄・ホウ素系の永久磁石が逆磁界で減磁されることを回避できる。
【００４８】
請求項３による高圧ドーム型圧縮機は、上記ケーシングから上記吐出ガスを吐出する吐出管は、上記モータに関して上記圧縮要素と反対側に配置されているので、上記圧縮要素で圧縮された吐出ガスは上記モータを必ず通過してモータを冷却するから、上記モータが有する希土類・鉄・ホウ素系の永久磁石が高温によって減磁することを回避できる。
【００４９】
請求項４による高圧ドーム型圧縮機は、上記吐出管は、上記圧縮要素と上記モータとの間の高圧部に連通する一方、上記圧縮要素からの吐出ガスは、クランク軸内の通路を通して上記モータに関して圧縮要素と反対側の高圧部に排出されるので、上記圧縮要素からの吐出ガスは必ず上記モータを通過してモータを冷却するから、上記モータが有する希土類・鉄・ホウ素系の永久磁石が高温によって減磁することを回避できる。
【００５０】
請求項５による高圧ドーム型圧縮機は、上記モータの回転子の上記永久磁石は、アルミコーティングが施されているので、比較的高温である上記高圧ドーム型圧縮機の高圧部においても上記永久磁石は錆びなく、また、冷媒としてのＲ３２にアタックされないから、上記モータの性能が安定する。
【００５１】
請求項６による冷凍装置は、冷媒としてＲ３２を用いると共に、請求項１乃至５のいずれか1つによる高圧ドーム型圧縮機を備えるので、Ｒ３２によって上記高圧ドーム型圧縮機が高温になるにも拘らず、上記モータの希土類・鉄・ホウ素系の永久磁石は減磁し難いから、上記モータの性能が安定して、このモータを備える高圧ドーム型圧縮機の性能が安定する。
【図面の簡単な説明】
【図１】この発明の実施形態の高圧ドーム型圧縮機を示す模式図である。
【図２】図１に示した高圧ドーム型圧縮機のケーシング内部を詳細に示した断面図である。
【図３】図２に示した高圧ドーム型圧縮機が備えるモータの回転子を示した斜視図である。
【図４】この発明の他の実施形態の高圧ドーム型圧縮機を示す断面図である。
【符号の説明】
１  高圧ドーム型圧縮機
２  ケーシング
３  圧縮要素
４  クランク軸
５  モータ
６  高圧部
７  吸入管
８  吐出管
１０  インバータ
１２  インバータ部
１３  制御部
１７  交流電源
【図１】
0003555549.tif 000002
【図２】
0003555549.tif 000003
【図３】
0003555549.tif 000004
【図４】
0003555549.tif 000005